(57)【要約】【課題】発信経路情報提供の方法及びそのシステム及びその方法を実行するためのコンピュータプログラムを提供する。【解決手段】発信経路情報提供システム及び方法に係り、発信者端末機からのコール接続信号を受信し、コール接続信号に含まれたソースコードを抽出するソースコード抽出部と、ソースコードを解析し、発信経路情報を生成する発信経路情報生成部と、発信経路情報を受信者端末機に伝達する発信経路情報送出部と、を含む発信経路情報を受信者端末機に表示する発信経路情報提供システム及び発信経路情報提供方法及びその方法を実行するためのコンピュータプログラムである。【選択図】図２
2015204611.tif 000002
【特許請求の範囲】
【請求項１】
発信者端末機からのコール接続信号を受信し、コール接続信号に含まれたソースコードを抽出するソースコード抽出部と、
前記ソースコードを解析し、発信経路情報を生成する発信経路情報生成部と、
前記発信経路情報を受信者端末機に伝達する発信経路情報送出部と、を含む発信経路情報を受信者端末機に表示する発信経路情報提供システム。
【請求項２】
前記発信経路情報提供システムは、前記発信経路情報に対応する一つ以上のソースコードを生成し、前記発信者端末機に提供するソースコード生成部を追加して含むことを特徴とする請求項１に記載の発信経路情報提供システム。
【請求項３】
前記抽出したソースコードが正当であるか否かということを判別する正当ソース判別部を追加して含むことを特徴とする請求項１または２に記載の発信経路情報提供システム。
【請求項４】
前記発信経路情報は、前記発信者端末機のコール接続信号の対象になる電話番号が獲得された過程についての情報であることを特徴とする請求項１ないし３のうちいずれか１項に記載の発信経路情報提供システム。
【請求項５】
前記発信経路情報は、発信者が直接ダイヤルを入力した場合、電話帳の番号を選択した場合、モバイルページで番号リンクを選択した場合、広告媒体を介した場合、データベースを活用した場合、ＱＲコードをスキャンした場合のうちいずれか一つによって、コール接続信号が生成されているということを示す情報であることを特徴とする請求項１ないし４のうちいずれか１項に記載の発信経路情報提供システム。
【請求項６】
前記発信者端末機に提供される発信者用アプリケーション、あるいは受信者端末機に提供される受信者用アプリケーションを生成及び提供するアプリケーション提供部を追加して含むことを特徴とする請求項１ないし５のうちいずれか１項に記載の発信経路情報提供システム。
【請求項７】
前記発信者用アプリケーションは、前記発信者端末機において、発信機能オンになるとき、発信経路を探知してソースコードをマッチングさせた後、前記コール接続信号が生成されるとき、前記マッチングされたソースコードを、前記コール接続信号に含めることを特徴とする請求項６に記載の発信経路情報提供システム。
【請求項８】
前記受信者用アプリケーションは、前記発信経路情報と共に、前記発信者端末機の情報を表現することを特徴とする請求項６に記載の発信経路情報提供システム。
【請求項９】
発信者端末機からのコール接続信号を受信し、コール接続信号に含まれたソースコードを抽出すること、
前記ソースコードを解析し、発信経路情報を生成すること、
前記発信経路情報を受信者端末機に伝達することと、を含む発信経路情報を受信者端末機に表示する発信経路情報提供方法。
【請求項１０】
前記ソースコードを抽出する以前に、
前記発信経路情報に対応する一つ以上のソースコードを生成し、前記発信者端末機に提供することを特徴とする請求項９に記載の発信経路情報提供方法。
【請求項１１】
前記ソースコードを抽出する以後に、前記抽出したソースコードが正当であるか否かということを判別することを特徴とする請求項９または１０に記載の発信経路情報提供方法。
【請求項１２】
前記発信経路情報を生成することは、発信者端末機からのコール接続信号を受信し、コール接続信号に含まれた発信経路情報を抽出することを特徴とする請求項９ないし１１のうちいずれか１項に記載の発信経路情報提供方法。
【請求項１３】
前記受信者端末機に伝達された発信経路情報は、前記受信者端末機のディスプレイ画面に表示されることを特徴とする請求項９ないし１１のうちいずれか１項に記載の発信経路情報提供方法。
【請求項１４】
前記発信経路情報は、前記発信者端末機のコール接続信号の対象になる電話番号が獲得された過程についての情報であることを特徴とする請求項９ないし１１のうちいずれか１項に記載の発信経路情報提供方法。
【請求項１５】
前記発信経路情報は、発信者が直接ダイヤルを入力した場合、電話帳の番号を選択した場合、モバイルページで番号リンクを選択した場合、広告媒体を介した場合、データベースを活用した場合、ＱＲコードをスキャンした場合のうちいずれか一つによって、コール接続信号が生成されているということを示す情報であることを特徴とする請求項１１ないし１４のうちいずれか１項に記載の発信経路情報提供方法。
【請求項１６】
請求項９ないし１５のうちいずれか１項に記載の方法をコンピュータに実行させるためのコンピュータプログラム。
【発明の詳細な説明】
【技術分野】
【０００１】
本発明は、発信経路情報提供の方法及びそのシステム及びその方法を実行するためのコンピュータプログラムに関わり、さらに詳細には、発信者がいかなる経路で受信者番号を獲得したかということに関わる情報を提供することにより、受信者に発信相手に関わる有意な情報を提供することができる発信経路情報提供の方法及びそのシステム及びその方法を実行するためのコンピュータプログラムに関する。
【背景技術】
【０００２】
最近、移動通信市場は、急激にその規模を成長させ、今や現代人に移動通信は、なくてはならない必須要素である。しかし、移動通信市場が大きくなって新たに登場した問題のうち一つが、個人情報流出問題及びそれによるスパム（spam）電話の急増である。特に、スパムレターあるいはスパム電子メールと異なり、スパム電話は、電話が即座の反応を示さなければならない媒体という点で、さらに公害的な要素が大きい。そのために、一部移動通信ユーザは、発信者番号サービスを利用して、自分の電話帳に登録されていない全ての発信者の電話は受けないという方法を使用したりしている。しかし、自分の電話帳以外の全ての人を遮断することは危険性が大きく、広告性電話ではない情報性電話までも遮断してしまうという問題点が存在する。
【０００３】
一方、社会が多様化されて技術が発展するにつれて、広告主は、広告媒体選択の幅がだんだんと広くなってきている。その端的な例として、以前には、広告といえば、新聞広告、ＴＶ（television）広告のようなオフライン広告がほとんどを占めたが、今は、オンライン広告の比重がだんだんと高まっている。オンライン広告は、ホームページ、検索広告、カフェー、ブログ、コンテンツ広告など、利用分野によって、効果の差が大きいので、広告主は、愼重に広告媒体を選ぶ必要がある。しかし、広告主は、広告媒体を選択するにあたり、消費者がいかなる広告に接してやって来るかということを知ることができず、広告媒体の効率性判断に困難が伴う。
【発明の概要】
【発明が解決しようとする課題】
【０００４】
本発明は、発信者が受信者の電話番号を獲得した経路情報を受信者に提供することにより、通話するか否かを受信者に決定させるのに有用な情報を提供することを１つの目的とする。
【０００５】
また、本発明は、受信者が広告主である場合、消費者がいかなる広告媒体を介して電話を接続したか否かということに関わる情報を提供することにより、さらに効率的な広告媒体の選択を可能とすることを他の目的とする。
【課題を解決するための手段】
【０００６】
本発明の一実施形態は、発信者端末機からのコール接続信号を受信し、コール接続信号に含まれたソースコードを抽出するソースコード抽出部と、ソースコードを解析し、発信経路情報を生成する発信経路情報生成部と、発信経路情報を受信者端末機に伝達する発信経路情報送出部と、を含む発信経路情報を受信者端末機に表示するする発信経路情報提供システムを提供する。
【０００７】
本発明において、発信経路情報提供システムは、発信経路情報に対応する一つ以上のソースコードを生成し、発信者端末機に提供するソースコード生成部を追加して含んでもよい。
【０００８】
本発明において、前記抽出したソースコードが正当であるか否かということを判別する正当ソース判別部を追加して含んでもよい。
【０００９】
本発明において、発信経路情報は、発信者端末機のコール接続信号の対象になる電話番号が獲得された過程についての情報でもある。
【００１０】
本発明において、発信経路情報は、発信者が直接ダイヤルを入力した場合、電話帳の番号を選択した場合、モバイルページで番号リンクを選択した場合、広告媒体を介した場合、データベースを活用した場合、ＱＲ（quick response）コード（登録商標）をスキャンした場合のうちいずれか一つによって、コール接続信号が生成されたということを示す情報であってもよい。
【００１１】
本発明において、発信者端末機に提供される発信者用アプリケーション、あるいは受信者端末機に提供される受信者用アプリケーションを生成及び提供するアプリケーション提供部を追加して含んでもよい。
【００１２】
本発明において、発信者用アプリケーションは、発信者端末機で発信機能がオンになるとき、発信経路を探知してソースコードをマッチングさせた後、コール接続信号が生成されるとき、マッチングされたソースコードを、コール接続信号に含めてもよい。
【００１３】
本発明において、受信者用アプリケーションは、発信経路情報と共に、発信者端末機の情報を表示することができる。
【００１４】
本発明において、発信者用アプリケーションあるいは受信者用アプリケーションは、発信者端末機あるいは受信者端末機の基本アプリケーションであるか、あるいはその機能の一部として提供されてもよい。
【００１５】
本発明の他の一実施形態は、発信経路情報提供サーバから複数個のソースコードを受信し、コール接続信号を伝送するとき、複数個のソースコードのうち一つを選択し、コール接続信号に含める発信者端末機と、発信者端末機からコール接続信号を受信し、ソースコードから発信経路情報を生成する発信経路情報提供サーバと、発信経路情報提供サーバから発信経路情報を受信し、ディスプレイ画面に表示する受信者端末機と、を含む発信経路情報提供システムを提供する。
【００１６】
本発明の他の一実施形態は、発信者端末機からのコール接続信号を受信し、コール接続信号に含まれたソースコードを抽出することと、ソースコードを解析し、発信経路情報を生成することと、発信経路情報を受信者端末機に伝達することと、を含む発信経路情報を受信者端末機に表示する発信経路提供方法を提供する。
【００１７】
本発明において、ソースコードを抽出する以前に、発信経路情報に対応する一つ以上のソースコードを生成し、発信者端末機に提供することを含んでもよい。
【００１８】
本発明において、ソースコードを抽出する以後に、抽出したソースコードが正当であるか否かということを判別することを含んでもよい。
【００１９】
本発明において、発信経路情報は、発信者端末機のコール接続信号の対象になる電話番号が獲得された過程についての情報でもある。
【００２０】
本発明において、発信経路情報は、発信者が直接ダイヤルを入力した場合、電話帳の番号を選択した場合、モバイルページで番号リンクを選択した場合、広告媒体を介した場合、データベースを活用した場合、ＱＲコード（登録商標）をスキャンした場合のうちいずれか一つによって、コール接続信号が生成されたことを示す情報であってもよい。
【００２１】
本発明の他の一実施形態は、発信者端末機からのコール接続信号を受信し、コール接続信号に含まれた発信経路情報を抽出することと、発信経路情報を受信者端末機に伝達することと、を含む発信経路情報提供方法を提供する。
【００２２】
本発明において、受信者端末機に伝達された発信経路情報は、受信者端末機のディスプレイ画面に表示されてもよい。
【００２３】
本発明において、発信経路情報は、発信者が直接ダイヤルを入力した場合、電話帳の番号を選択した場合、モバイルページで番号リンクを選択した場合、広告媒体を介した場合、データベースを活用した場合、ＱＲコードをスキャンした場合のうちいずれか一つによって、コール接続信号が生成されたということを示す情報であってもよい。
【００２４】
これら以外にも、本発明を実現するための他の方法、他のシステム、及び前記方法を実行するためのコンピュータプログラム、がさらに提供される。
【発明の効果】
【００２５】
本発明によれば、発信者がいかなる経路を介して受信者の電話番号を獲得したかということを知らせることにより、受信者に、発信者に関わる有用な情報を提供することができる。
【００２６】
また、本発明によれば、消費者がいかなる広告媒体に接して電話接続を試みるかということに関わる情報を提供することにより、広告主が広告媒体を選択する一助となる。
【図面の簡単な説明】
【００２７】
【図１】本発明の一実施形態による発信経路情報提供システムの構成を簡略に示した図面である。
【図２】図１の発信経路情報提供システムのうち、発信経路情報提供サーバ及びサービス接続サーバの詳細図である。
【図３】本発明の一実施形態による、受信者端末機に表示された受信画面の一例である。
【図４】本発明の一実施形態による発信経路情報表示方法を例示した図面である。
【図５】本発明の他の一実施形態による発信経路情報表示方法を例示した図面である。
【図６】本発明の他の一実施形態による発信経路情報表示方法を例示した図面である。
【図７】本発明の他の一実施形態による発信経路情報表示方法を例示した図面である。
【発明を実施するための形態】
【００２８】
以下、本発明に関わる詳細な説明は、本発明が実施される特定の実施形態を例示として図示する添付図面を参照して行う。そのような実施形態は、当業者が本発明を実施するのに十分なように詳細に説明される。本発明の多様な実施形態は、互いに異なるが、相互排他的ではないということが理解されなければならない。例えば、本明細書に記載されている特定の形状、構造及び特性は、本発明の精神及び範囲を外れずに、一実施形態から他の実施形態に変更されて実現されもする。また、それぞれの実施形態内の個別構成要素の位置または配置図も、本発明の精神及び範囲を外れずに変更されてもよい。従って、後述する詳細な説明は、限定的な意味として行われるものではなく、本発明の範囲は、特許請求の範囲が請求する範囲、及びそれと均等な全ての範囲を包括すると受け入れられなければならない。図面において、類似した参照符号は、さまざまな側面にわたって同一であるか、あるいは類似した構成要素を示す。
【００２９】
以下では、本発明が属する技術分野で当業者が、本発明を容易に実施することができるように、本発明の多くの実施形態について、添付された図面を参照して詳細に説明する。
【００３０】
図１は、本発明の一実施形態による発信経路情報提供システムの構成を簡略に示した図面である。
【００３１】
図１に示すように、本発明の発信経路情報提供システム１は、発信者端末機１０、発信交換機２０、受信交換機３０、受信者端末機４０、発信経路情報提供サーバ１００及びサービス接続サーバ２００を含む。
【００３２】
一般的に、通信網は、有線網と移動網とに大別することができる。有線網とは、既存のＰＳＴＮ（public switched telephone network）やＩＳＤＮ（integrated services digital network）のように、加入者の端末と通信網とが有線で接続され、加入者が指定された位置で通話を行うことができる網を意味する。移動網とは、ＡＭＰＳ（advanced mobile phone systems）、ＴＤＭＡ（time division multiple access）、ＣＤＭＡ（code division multiple access）のような方式を使用してサービスされる移動通信網であり、加入者の端末と通信網とが無線で接続され、加入者がいかなる位置でも通話を行うことができる網を意味する。本発明は、有線網及び移動網にいずれも適用可能である。
【００３３】
一方、通信網からサービスを受ける加入者は、発信加入者と受信加入者とに大別することができる。発信加入者（発信者）は、電話をかける者であり、受信加入者（受信者）は、電話を受ける者である。発信加入者と受信加入者は、同一の通信網に位置するか、あるいはそれぞれ異なる通信網に位置してもよい。本発明は、発信加入者が、有線網及び移動網を利用する場合と、受信加入者が有線網及び移動網を利用する場合とをいずれも含む。
【００３４】
図１に示すように、発信者端末機１０及び受信者端末機４０は、相互に、音声送受信またはデータ送受信などを行う端末機を意味する。例えば、発信者端末機１０及び受信者端末機４０は、移動電話（mobile telephone）、スマートフォン（smart phone）、電話（telephone）、タブレットパソコン（tablet personal computer）、パソコン（personal computer）、携帯情報端末（personal digital assistant）などを含んでもよい。ここで、受信者端末機４０は、有無線にかかわらず情報を表示することができるディスプレイ画面を含んだ端末機でもよい。
【００３５】
発信交換機２０及び受信交換機３０は、発信者端末機１０及び受信者端末機４０から発着信される音声送受信信号及びデータ送受信信号のためのコールを設定し、発信者端末機１０及び受信者端末機４０の間の音声及びデータの送受信を処理する役割を行う。
【００３６】
ここで、発信者端末機１０（または、受信者端末機４０）が移動通信端末機であり、発信者端末機１０（または、受信者端末機４０）と、発信交換機２０（または、受信交換機３０）とを接続する通信網が移動網である場合、発信者端末機１０（または、受信者端末機４０）と、発信交換機２０（または、受信交換機３０）との間には、基地局（図示せず）及び基地局制御器（図示せず）がさらに配置されてもよい。そして、その場合、発信交換機２０（または、受信交換機３０）は、移動通信交換機（図示せず）でもよい。ここで、基地局（ＢＳ（base station），ＢＴＳ（base transceiver system））は、移動通信端末機と無線区間で接続され、発着信される移動電話コール処理を制御し、通話チャネルを接続するシステムである。そして、基地局制御器（ＢＳＣ：base station controller）は、多数の基地局を管理し、移動交換機（ＭＳＣ）と連動される制御器である。そして、移動通信交換機（ＭＳＣ：mobile switching center）は、基地局制御器（ＢＳＣ）から発着信される音声通話及び各種付加サービス信号を処理し、通話のためのコールを設定し、システムの運用、保全の機能、課金処理のための記録保存機能、並びに移動電話端末機についての情報を収録したホーム位置登録機（ＨＬＲ：home location register）及び訪問者位置登録機（ＶＬＲ：visitor location register）のデータベースと接続される機能などを有してもよい。
【００３７】
発信経路情報提供サーバ１００は、発信交換機２０を介して発信者端末機１０から伝送されたコール接続要請信号に含まれた発信経路情報を抽出し、受信者端末機４０に伝達することにより、受信者端末機４０に発信経路情報を表示する役割を有する。
【００３８】
本発明の一実施形態において発信経路情報とは、発信者端末機１０において発信番号が入力された経緯を説明することができる情報を意味する。例えば、発信者が、直接発信者端末機１０のダイヤルを押して発信を試みる場合、発信経路情報は、「直接ダイヤル入力」になり、発信者端末機１０において、ＱＲ（quick response）コード（登録商標）を認識してコール接続を試みる場合、発信経路情報は、「ＱＲコード認識による接続」になる。本発明の一実施形態による発信経路情報提供システム１は、前述の発信経路情報を受信者端末機４０に表示することができるシステムを提供することを特徴とする。発信経路情報提供システム１の発信経路情報提供サーバ１００については、図２で詳細に説明する。
【００３９】
一方、サービス接続サーバ２００は、発信交換機２０を介して発信者端末機１０から伝送されるコール接続要請信号に含まれた発信者端末機１０の電話番号が、発信経路情報提供システム１に加入した電話番号であるか否かということを判別し、発信経路情報提供サーバ１００から獲得した発信経路情報及び発信者情報を、受信者端末機４０に伝送する役割を行う。そのようなサービス接続サーバ２００については、図２で詳細に説明する。
【００４０】
ここで、図面には、発信経路情報提供サーバ１００及びサービス接続サーバ２００が、それぞれ別途のサーバであると図示されているが、発明の思想は、それに制限されるものではない。すなわち、発信経路情報提供サーバ１００及びサービス接続サーバ２００が、必ずしも物理的に区分されるものではなく、単一サーバ内でソースコードを解析し、発信経路情報を生成する部分と、サービス接続サーバの役割を行う部分とが共に配置されるということも可能である。発信経路情報提供サーバ
【００４１】
図２は、図１の発信経路情報提供システムのうち、発信経路情報提供サーバ及びサービス接続サーバの詳細図である。
【００４２】
図２に示すように、本発明の発信経路情報提供サーバ１００は、制御部１１０、ソースコード生成部１２１、ソースコード抽出部１２２、発信経路情報生成部１２３、発信経路情報送出部１２４、正当ソース判別部１２５、アプリケーション提供部１２６及びデータベース（ＤＢ）１５０を含んでもよい。そして、サービス接続サーバ２００は、サービス提供判別部２１０と、発信者情報提供部２２０とを含んでもよい。
【００４３】
本発明の一実施形態による発信経路情報提供システム１は、ソースコードを生成して発信者端末機１０（図１）に提供し、発信者端末機１０から伝送されるコール接続要請信号に含まれたソースコードを抽出して発信経路情報を生成した後、受信者端末機４０（図１）のディスプレイ画面に表示する。
【００４４】
それについて、さらに詳細に説明すれば、次の通りである。
【００４５】
従来、受信者端末機４０に発信者番号を表示するサービスが提供されていた。すなわち、受信者端末機４０のディスプレイ画面に、発信者番号が提供されつつ、発信者番号が電話帳に登録されている場合には、当該電話帳の氏名が表示されるという、発信者番号の表示機能が提供されていた。しかし、発信者番号の表示機能は、発信者番号が電話帳に登録されていない場合には、受信者は、電話番号以外に有意な情報を得ることができないという短所があった。
【００４６】
最近になり、スパム電話及び広告性電話が急増し、ユーザは、自分の電話帳に登録されておらず、発信者番号だけが表示される受信電話を受けたがらなくなってきている。しかし、電話帳に登録されていない電話をすべて拒否するのは困難で、市外局番や発信番号の形態を見て、広告性電話であるか否かということを推測し、電話を受けるか否かということを決定するしかなかった。
【００４７】
一方、さまざまな広告媒体を介して、自体がサービスする業社の電話番号を広告する広告主は、新規顧客から電話がかかってきたとしても、どの広告媒体を介してかかってきたものであるかということを確認する方法がなく、各広告媒体の効率性を検証することができなかった。例えば、広告主が、看板、名刺、検索広告、ホームページなどに自身の電話番号を表示している場合、新規顧客から電話がかかってきたとき、直接聞き出さない限り、どの広告媒体に接して電話をかけたかということを確認することができず、どの広告媒体にさらに集中しなければならないかということを見極められなかった。
【００４８】
本発明の一実施形態による発信経路情報提供システム１は、このような問題点を解決し、発信者及び受信者いずれにも、さらに有意な情報を提供するために、発信者端末機１０が受信者の電話番号をいかに獲得したかということに関わる発信経路情報を受信者端末機４０に提供する。それにより、受信者は、自身の受信者端末機４０にかかってきた電話の発信者番号とともに、発信経路情報をともに知ることができるので、受信者が広告主である場合には、いかなる経路を介して新規顧客が流入してきたかということが分かり、受信者が一般ユーザである場合には、受信者端末機４０にかかってきた電話が、スパム電話であるか、あるいは情報性電話であるかということを見極めることができる。また、発信者は、自身の発信経路情報を、受信者端末機４０に表示することができるので、発信者番号が受信者端末機４０の電話帳に保存されていないとしても、発信経路情報を表示することにより、電話接続確率を高めることができる。
【００４９】
さらに図２に示すように、サービス接続サーバ２００は、サービス提供判別部２１０と発信者情報提供部２２０とを含む。
【００５０】
サービス提供判別部２１０は、発信者端末機１０から伝送されるコール接続要請信号に含まれた受信者端末機４０の電話番号が、本発明の発信経路情報提供システム１に加入した電話番号であるか否かということを判別する役割を行う。判別の結果、発信者端末機１０の電話番号が、本発明の発信経路情報提供システム１に加入していない電話番号の場合、コール接続要請信号を受信交換機３０に伝達する。一方、加入した電話番号である場合、コール接続要請信号を発信経路情報提供サーバ１００に伝達する。このとき、サービス提供判別部２１０において、発信者電話番号が、発信経路情報提供システム１に加入した電話番号であるか否かということを判別するために、サービス接続サーバ２００は、別途のデータベースを配置することもでき、発信経路情報提供サーバ１００のデータベース１５０に保存されたデータを使用することもできる。
【００５１】
発信経路情報提供サーバ１００は、制御部１１０、ソースコード生成部１２１、ソースコード抽出部１２２、発信経路情報生成部１２３、発信経路情報送出部１２４、正当ソース判別部１２５、アプリケーション提供部１２６を含む。データベース１５０は、ソースコードデータベース１５１、発信経路データベース１５２、発信者データベース１５３、受信者データベース１５４を含む。各データベースは、発信経路情報提供サーバ１００で管理するソースコード、発信経路、発信者情報、受信者情報を管理することができる。
【００５２】
まず、ソースコード生成部１２１は、発信経路情報に対応する一つ以上のソースコードを生成する役割を行う。このとき、発信経路情報は、前述のように、コール接続信号の目的になる電話番号を獲得した経路を示す。例えば、発信者が、モバイルホームページ上の電話番号を選択し、コール接続を試みる場合、発信経路情報は、受信者の立場から見たとき、「モバイルホームページから入る」であり、発信者が電話帳に保存された電話番号を選択してコール接続を試みる場合、発信経路情報は、受信者の立場から見たとき、「電話帳から入る」ということになる。前述の例以外にも、発信経路情報の種類は多様に存在するということは、言うまでもない。発信経路情報を、受信者の立場から表現する理由は後述するが、発信経路情報が受信者端末機４０のディスプレイ画面に表示されなければならないのである。
【００５３】
また、ソースコードは、発信経路情報にそれぞれマッチングされてコード化された情報である。例えば、発信経路情報が、「モバイルホームページから入る」の場合には、ソースコードが「０００１」であり、「電話帳から入る」の場合には、ソースコードが「０００２」でもある。
【００５４】
ソースコード生成部１２１は、前述の発信経路情報に対応する一つ以上のソースコードを生成し、生成されたソースコードを、発信者端末機１０に提供する一方、データベース１５０に保存することができる。発信者端末機１０に提供されたソースコードは、発信者端末機１０がコール接続信号を生成するとき、発信経路情報を表示するようにマッチングされもする。前述の例に続き、ソースコード生成部１２１から「００１」、「００２」、…などのソースコードを受信した発信者端末機１０は、コール接続信号を生成するとき、ユーザが、モバイルホームページの電話番号を選択して電話をかけることを選択した場合であるならば、コール接続信号に「００１」コードを含め、発信交換機２０にコール接続信号を伝送することができる。
【００５５】
コール接続信号とは、発信者が受信者との通信を要請するために、発信交換機２０に伝送する信号を意味する。従来は、コール接続信号に、受信者電話番号及び発信者電話番号が含まれていた。従って、受信者端末機４０は、発信者電話番号以外に表示することができる情報はなかった。しかし、本発明の一実施形態による発信経路情報提供サーバ１００は、コール接続信号にソースコードを含め、発信経路情報を表示することができる。
【００５６】
次に、ソースコード抽出部１２２は、発信交換機２０からコール接続信号を受信し、コール接続信号に含まれたソースコードを抽出する役割を行う。ソースコード抽出部１２２は、ソースコード生成部１２１が生成したソースコード値を参照し、コール接続信号に、ソースコードが含まれているか否かということを判別する。もしソースコードが含まれていないと判断する場合には、ソースコード抽出部１２２は、サービス接続サーバ２００にそれを知らせ、サービス接続サーバ２００は、すぐに受信交換機３０にコール接続信号を伝送する。
【００５７】
次に、発信経路情報生成部１２３は、抽出されたソースコードを解析し、発信経路情報を生成する役割を行うことができる。前述のように、ソースコード生成部１２１が生成したソースコードは、発信者端末機１０に伝達される。発信者端末機１０は、ソースコードのうち、発信行為と関連するソースコードをマッチングし、コール接続信号に含めるが、発信経路情報生成部１２３は、コール接続時、ソースコード抽出部１２２が抽出したソースコードを解析し、逆に発信経路情報を生成することができる。
【００５８】
前述の例に続き、コール接続信号に、ソースコード「００１」が含まれている場合であるならば、発信経路情報生成部１２３は、発信経路情報を「モバイルホームページから入る」と生成することができる。すなわち、発信経路情報生成部１２３は、ソースコード生成部１２１によって、発信者端末機１０に提供されたソースコードを受信し、逆に解析することにより、経路情報を獲得する手段として使用する。
【００５９】
前述の本発明の一実施形態によれば、発信経路情報提供サーバ１００は、発信者端末機１０のコール接続信号に含まれたソースコードを抽出した後、発信経路情報を解析する場合を例示した。しかし、本発明の他の一実施形態によれば、発信経路情報提供サーバ１００は、ソースコードではない発信経路情報自体を端末機と送受信してもよい。すなわち、発信者端末機１０は、ソースコードではなく、「モバイルホームページから入る」という発信経路情報自体をコール接続信号に含め、発信経路情報生成部１２３は、受信したコール接続信号から、発信経路情報を抽出してもよい。その場合には、ソースコード生成部１２１がソースコードを生成し、発信者端末機１０に提供する必要はなく、発信者端末機１０がコール接続信号を生成するとき、すぐに自身の発信経路情報を含めてもよい。その場合、発信経路情報生成部１２３は、ソースコードの解析をしなくても、受信したコール接続信号から、すぐに発信経路情報を抽出することができるという長所がある。
【００６０】
次に、発信経路情報送出部１２４は、本発明の一実施形態によって、受信者端末機４０に発信経路情報を伝達する役割を行う。発信経路情報送出部１２４は、発信経路情報生成部１２３が生成した発信経路情報を、サービス接続サーバ２００を介するか、あるいは直接受信交換機３０に伝達してもよい。発信経路情報送出部１２４は、解析された発信経路情報において、ユーザをして受信者端末機４０のディスプレイ画面に、発信経路情報を表示させることを可能とする。
【００６１】
前述の例に続いて説明すれば、発信者端末機１０からコール接続信号があるとき、ソースコード抽出部１２２が抽出したソースコードが「００１」である場合、発信経路情報生成部１２３は、それにより、発信経路情報を「モバイルホームページから入る」を生成し、発信経路情報送出部１２４は、のような発信経路情報をサービス接続サーバ２００に送出し、サービス接続サーバ２００は、それを受信者端末機４０に伝送する。そのとき、発信経路情報を受信した受信者端末機４０は、ディスプレイ画面に、発信経路情報を表示させることができる。
【００６２】
図３は、本発明の一実施形態による、受信者端末機に表示された受信画面の一例である。
【００６３】
図３（ａ）に示すように、受信者端末機４０の受信画面が図示されている。図３（ａ）では、受信画面には、発信者番号４１ａ及び発信経路情報４１ｂが表示されているということが分かる。従って、受信者は、受信画面を見て、発信者番号４１ａに対応する発信者が、いかなる経路で自身の番号を獲得したかということに関わる発信経路が分かり、それにより、いかなる広告媒体を介してアクセスしたかということに関わる情報を得ることができる。
【００６４】
図３（ｂ）は、本発明の他の一実施形態による、受信者端末機４０に発信経路情報提供サーバ１００の後述するアプリケーション提供部１２６が提供したアプリケーションがインストールされた場合の例示を示したものである。図３（ｂ）によれば、受信者端末機４０の受信画面には、アプリケーション画面４２ａが重なって表示されもする。図３（ｂ）から分かるように、アプリケーション画面４２ａには、発信者番号、アプリケーションが獲得した発信者名及び発信経路情報が共に表示される。図３（ｂ）の例では、発信者番号が「０３１−７２６−３６２３」であり、アプリケーションが獲得した発信者名は、「会社」であり、発信経路情報は、「モバイルホームページから入りました」である。ただし、図３（ｂ）で例示されたアプリケーションは、電話帳に存在しない発信者番号を、クラウド電話帳を介して検証することが目的であり、本発明の特徴は、図３（ａ）のように、アプリケーションなしで実現してもよい。
【００６５】
すなわち、図３（ａ）は、受信者端末機４０にアプリケーションがインストールされていない場合、発信経路情報提供サーバ１００が提供した発信経路情報を、基本受信画面にそのまま表示した例を示したものであり、図３（ｂ）は、受信者端末機４０にアプリケーションがインストールされた場合、アプリケーションが発信者番号から獲得した発信者名、及び発信経路情報提供サーバ１００が提供した発信経路情報を共に表示した例を示したものである。本発明の実施形態は、図３（ａ）または図３（ｂ）の形態に選択的に適用される。
【００６６】
次に、正当ソース判別部１２５は、発信者端末機１０が伝送したコール接続信号に含まれたソースコードが、正当なソースコードであるか否かということを判別する役割を行う。発信者端末機１０は、ソースコード生成部１２１が生成したソースコードを付与され、コール接続信号を伝送するとき、マッチングされるソースコードを共に伝送することが原則であるが、悪意的な意図をもって、ソースコードを変更し、発信経路情報を隠す可能性が存在する。正当ソース判別部１２５は、その場合、ソースコードの悪意的修正が起きたか否かということを判別し、正当なソースコードではない場合、当該コール接続信号を遮断する役割を行う。
【００６７】
例えば、発信者がスパム広告主である場合、発信経路としては、不法に獲得したインターネット電話番号データベースを利用した発信であるが、自身の意図を隠すために、コール接続信号に含まれるソースコードを、電話帳のリストに存在する発信者であることを意味するソースコードへと変更してしまう可能性がある。そのような場合、正当ソース判別部１２５は、ソースコード生成部１２１が生成して発信者端末機１０に付与したソースコード、実際の発信経路、コール接続信号に含まれたソースコードがマッチングするか否かということを比較し、正当ソースコードであるか否かということを判別し、ソースコードが悪意的に変更された場合には、当該コール接続信号を遮断することができる。
【００６８】
アプリケーション提供部１２６は、本発明の一実施形態による発信経路情報提供サーバ１００及びサービス接続サーバ２００の各部役割を行うアプリケーションを生成し、発信者端末機１０及び受信者端末機４０に提供することができる。
【００６９】
まず、アプリケーション提供部１２６は、受信者用アプリケーションをアプリケーションストア（application store）を介して、受信者端末機４０に提供することができる。受信者用アプリケーションは、発信経路情報を表示することができるアプリケーションでもよい。例えば、受信者用アプリケーションは、図３（ｂ）のような形態で実現され、あるいは、図３（ｂ）のようなアプリケーションの一構成要素として実現されてもよい。
【００７０】
また、アプリケーション提供部１２６は、発信者用アプリケーションを、アプリケーションストアを介して、発信者端末機１０に提供することができる。発信者用アプリケーションをインストールした発信者端末機１０は、ソースコード生成部１２１からソースコードを獲得し、ダイヤルするとき、発信経路情報に対応するソースコードをコール接続信号に含め、発信交換機２０に伝送することができる。
【００７１】
本発明の一実施形態では、アプリケーション提供部１２６が、別途のアプリケーションを発信者端末機１０に提供すると表現されたが、本発明の他の一実施形態によれば、別途のアプリケーションが、発信者端末機１０にインストールされなくとも、基本アプリケーションにおいて、発信経路情報提供システム１の機能を提供することができる。例えば、発信者端末機１０に、基本としてインストールされたインターネットブラウザ・アプリケーションにおいて、発信者が電話番号を選択し、ダイヤルを選択するとき、インターネットブラウザ・アプリケーションは、モバイルウェプページの電話番号選択という発信経路情報に対応するソースコードを生成し、発信交換機２０に伝送することもできる。
【００７２】
図４は、本発明の一実施形態による発信経路の表示方法を例示した図面である。
【００７３】
図４（ａ）に示すように、発信者が、発信者端末機１０の検索画面において、発信者が広告リンク１１ｃを選択し、発信機能を実行させる場合、発信者端末機にインストールされた発信者用アプリケーション１０ａは、発信機能の実行を感知し、発信経路情報に該当するソースコードを決定する。例えば、ネイバー・パワーリンクによる発信経路情報に対応するソースコードが、「＃００ｘｘ」である場合、発信者用アプリケーション１０ａは、発信機能を実行するとき、コール接続信号に、受信者番号１１ａと共に、ソースコード１１ｂである「＃００ｘｘ」を含ませる。発信者用アプリケーション１０ａは、ソースコードを決定するとき、発信経路情報提供サーバ１００のソースコード生成部１２１から受信したソースコードデータを参照してもよい。
【００７４】
図４（ｂ）は、図４（ａ）のように、発信者端末機１０で発信が行われた場合、受信者端末機４０の表示画面を例示したものである。図４（ｂ）から分かるように、ソースコード「＃００ｘｘ」は、発信経路情報生成部１２３によって、発信経路情報である「ネイバー・パワーリンクからです」に変更され、受信者端末機４０のディスプレイ画面に、発信者番号４１ａと共に、発信経路情報４１ｂが表示される。図４では、説明の便宜のために、ソースコード抽出部１２２、発信経路情報送出部１２４、正当ソース判別部１２５などの役割については、省略して表現した。
【００７５】
また、本発明の一実施形態によれば、受信者端末機４０には、受信者用アプリケーション（図示せず）が、アプリケーション提供部１２６によってインストールされ、受信者用アプリケーション（図示せず）は、受信機能が実行されるたびに、コール接続信号にソースコードが含まれているか否かということを判別し、発信経路情報を生成することができる。そのとき、受信者用アプリケーション（図示せず）は、コール接続信号に含まれたソースコードと対応する発信経路情報をマッチングし、ディスプレイ画面に発信経路情報を表示することができる。あるいは、受信者用アプリケーション（図示せず）の一部機能が、他のアプリケーションに含まれてもよい。例えば、図３（ｂ）のような例で実行されるアプリケーション画面４２ａのアプリケーションは、本来の目的がスパム電話を拒否するものであるので、さらに役に立つ情報を与えるために、発信経路情報を表示することができる。そのとき、本発明の受信者用アプリケーション（図示せず）は、既存のアプリケーションに搭載された機能でもって役割を行うことができる。
【００７６】
図５は、本発明の他の一実施形態による発信経路情報表示方法を例示した図面である。
【００７７】
図５（ａ）に示すように、発信者が、発信者端末機１０のモバイルウェプページ画面において、電話番号リンク１１ｄを選択して発信機能を実行させる場合、発信者端末機にインストールされた発信者用アプリケーション１０ａは、発信機能の実行を感知し、発信経路情報に該当するソースコードを決定する。例えば、モバイルウェプページの電話番号リンク選択による発信経路情報に対応するソースコードが、「＃１２３４」である場合、発信者用アプリケーション１０ａは、発信機能を実行するとき、コール接続信号に、受信者番号１１ａと共に、ソースコード１１ｂである「＃１２３４」が含まれるようにする。発信者用アプリケーション１０ａは、ソースコードを決定するとき、発信経路情報提供サーバ１００のソースコード生成部１２１から受信したソースコードデータを参照してもよい。
【００７８】
図５（ｂ）は、図５（ａ）のように、発信者端末機１０で発信がなされた場合、受信者端末機４０の表示画面を例示したものである。図５（ｂ）から分かるように、ソースコード「＃１２３４」は、発信経路情報生成部１２３によって、発信経路情報である「モバイルホームページ（ＩＤ整形外科）からです」に変更され、受信者端末機４０のディスプレイ画面に、発信者番号４１ａと共に、発信経路情報４１ｂとして表示される。
【００７９】
図６は、本発明の他の一実施形態による発信経路情報表示方法を例示した図面である。
【００８０】
図６（ａ）に示すように、発信者が発信者端末機１０の広告配布紙でＱＲコード１１ｅを選択して発信機能を実行させる場合、発信者端末機にインストールされた発信者用アプリケーション１０ａは、発信機能の実行を感知し、発信経路情報に該当するソースコードを決定する。例えば、ＱＲコードスキャンによる発信経路情報に対応するソースコードが「＃０１０１」である場合、発信者用アプリケーション１０ａは、発信機能を実行するとき、コール接続信号に受信者番号１１ａと共に、ソースコード１１ｂである「＃０１０１」が含まれる。あるいは、ＱＲコードは、スキャンするたけでもって、所定の情報を呼び出すことができるので、ソースコードにさらに多くの情報を含んでもよい。例えば、「＃０１０１」に対応する発信経路情報は、「ｘ区域広告配布紙のＱＲコードからです」といった情報を含んでもよい。発信者用アプリケーション１０ａは、ソースコードを決定するとき、発信経路情報提供サーバ１００のソースコード生成部１２１から受信したソースコードデータを参照してもよい。
【００８１】
図６（ｂ）は、図６（ａ）のように、発信者端末機１０で発信が行われた場合、受信者端末機４０の表示画面を例示したものである。図６（ｂ）から分かるように、ソースコード「＃０１０１」は、発信経路情報生成部１２３によって、発信経路情報である「広告配布紙ＱＲコードからです」に変更され、受信者端末機４０のディスプレイ画面に、発信者番号４１ａと共に、発信経路情報４１ｂとして表示される。
【００８２】
図７は、本発明の他の一実施形態による発信経路情報表示方法を例示した図面である。
【００８３】
図７は、発信経路情報の情報源がデータベースである場合、データベースの特性に符合するように、ソースコード、及びソースコードに対応する発信経路情報を示した例示である。業種の特性上、テレマーケティングで顧客と接する業種では、情報性電話であっても、顧客がスパム電話と誤認し、正しい情報を伝達し難いという側面が存在する。そのために、本発明の一実施形態による発信経路情報表示システム１を使用すれば、マーケッタ及び需要者のいずれにも不要な消耗を低減させ、必要な情報に効果的にアクセスすることができる。
【００８４】
図７（ａ）に示すように、発信者は、データベースから受信者電話番号を獲得し、電話をかけることができる。そのとき、発信経路情報を、単に「データベースで獲得した番号」とのみ入力すれば、受信者は、スパムであると予想し、電話を受けたがらない。従って、本発明の一実施形態によれば、発信者は、自身が保有したデータベースごとに、別途のソースコードを付与し、当該ソースコードに関わる発信経路情報も別途に登録することができる。
【００８５】
例えば、図７（ａ）に示されているように、最初のデータベースが、顧客感謝イベントに登録した顧客の電話番号であるならば、ソースコードを生成した後、当該ソースコードに対応する発信経路情報を、「Ａ社顧客感謝イベント（広告広告性）電話です」と表示する。受信者は、発信番号がだれのものであるか分からない状況であるとしても、発信経路情報を見て、当該電話を受けるか否かということを決定することができる。
【００８６】
他の例として、データベースが相談申し込み後、連絡を所望する顧客の情報を保存しているのであるならば、当該データベースにソースコードを付与し、「Ｃ社相談への申し込みによって連絡しています」のような発信経路情報を表示することができる。
【００８７】
以上で説明し本発明による実施形態は、多様なコンピュータ構成要素を介して実行されるプログラム命令語の形態で実現され、コンピュータで読み取り可能な記録媒体に記録される。コンピュータで読み取り可能な記録媒体は、プログラム命令語、データファイル、データ構造などを、単独でまたは組み合わせて含んでもよい。コンピュータで読み取り可能な記録媒体に記録されるプログラム命令語は、本発明のために特別に設計されて構成されたものであっても、コンピュータソフトウェア分野の当業者に公知されて使用可能なものであってもよい。コンピュータで読み取り可能な記録媒体の例としては、ハードディスク、フロッピーディスク（登録商標）及び磁気テープのような磁気媒体、ＣＤ（compact disc）−ＲＯＭ（read only memory）及びＤＶＤ（digital versatile disc）のような光記録媒体、フロプティカルディスク（floptical disk）のような磁気・光媒体（magneto-optical medium）、及びＲＯＭ、ＲＡＭ（random access memory）、フラッシュメモリのような、プログラム命令語を保存して実行するように特別に構成されたハードウェア装置、が含まれる。プログラム命令語の例としては、コンパイラによって作われるような機械語コードだけではなく、インタ−プリタなどを使用して、コンピュータによって実行される高級言語コードも含まれる。ハードウェア装置は、本発明による処理を行うために、一つ以上のソフトウェア・モジュールに変更され、その逆もまた同様である。
【００８８】
本発明で説明した実施例は、あくまで一実施形態であり、いかなる方法でも、本発明の範囲を限定するものではない。明細書の簡潔な記載のために、従来の電子的な構成、制御システム、ソフトウェア、システムの他の機能的な側面の記載は省略する。また、図面に図示された構成要素間の線の接続、または接続部材は、機能的な接続及び／または物理的または回路的な接続を例示的に示したものであり、実際の装置では，代替可能であったり、あるいは追加が可能であったりする多様な機能的な接続、物理的な接続または回路的な接続としても示される。また、「必須な」、「重要に」というように、具体的な言及がなければ、本発明の適用のために必ずしも必要な構成要素ではないこともある。
【００８９】
本発明の明細書（特に、特許請求の範囲）において、「前記」の用語、及びそれと類似した指示用語の使用は、単数及び複数のいずれにも該当するものである。また、本発明において、範囲（range）を記載した場合、その範囲に属する個別的な値を適用した発明を含むものであり（それに反する記載がなければ）、発明の詳細な説明に、その範囲を構成する各個別的な値を記載した通りである。最後に、本発明による方法を構成する段階について、明白に順序を記載したり、あるいはそれに反する記載がなければ、その段階は、適する順序で実行されるのである。必ずしもその段階の記載順序によって、本発明が限定されるものではない。本発明において、全ての例または例示的な用語（「例えば」など）の使用は、単に本発明を詳細に説明するためのものであり、特許請求の範囲によって限定されない以上、その例または例示的な用語によって、本発明の範囲が限定されるものではない。また、当業者であるならば、多様な修正、組み合わせ及び変更が付加された特許請求の範囲またはその均等物の範疇内で、設計条件及びファクタによって構成されるということが分かるであろう。
【００９０】
本発明の発信経路情報提供の方法及びそのシステムは、例えば、移動通信に対する広告関連の技術分野に効果的に適用可能である。
【符号の説明】
【００９１】
１０      発信者端末機
１０ａ    発信者用アプリケーション
１１ａ    受信者番号
１１ｂ    ソースコード
１１ｃ    広告リンク
１１ｄ    電話番号リンク
１１ｅ    ＱＲリンク
２０      発信交換機
３０      受信交換機
４０      受信者端末機
４１ａ    発信者番号
４１ｂ    発信経路情報
４２ａ    アプリケーション画面
１００    発信経路情報提供サーバ
１１０    制御部
１２１    ソースコード生成部
１２２    ソースコード抽出部
１２３    発信経路情報生成部
１２４    発信経路情報送出部
１２５    正当ソース判別部
１２６    アプリケーション提供部
１５０    データベース
１５１    ソースコードデータベース
１５２    発信経路データベース
１５３    発信者データベース
１５４    受信者データベース
２００    サービス接続サーバ
２１０    サービス提供判別部
２２０    発信者情報提供部
【図１】
2015204611.tif 000003
【図２】
2015204611.tif 000004
【図３】
2015204611.tif 000005
【図４】
2015204611.tif 000006
【図５】
2015204611.tif 000007
【図６】
2015204611.tif 000008
【図７】
2015204611.tif 000009